(57)【要約】【課題】既表示バーコードの大きさ及びその周辺の表示が異なる各種商品に適用できる商品貼付用値引きラベルを提供する。【解決手段】コンピュータで販売管理される商品に付された既表示バーコード１１上に貼着してそれを隠蔽し、その上に値引き後のバーコード５を表示するための値引きラベルであり、表面が第１表示面２と第２表示面３からなり、裏面の全面が糊面４として形成される。第１表示面は、既表示バーコードを隠蔽すると同時に値引き後のバーコード５を印字できる幅と長さとを有する。第２表示面３は、値引き商品であることを表示する表示面であり、第１表示面の幅方向端に連接されて、第１表示面の幅と同幅で、第１表示面の裏面側に折り返したときに、第１表示面の裏面に、短寸の既表示バーコードを隠すに必要なサイズの糊面４ａを残して該第１表示面に重畳貼着できる長さを有する。【選択図】図１
2010008508.tif 000002
【特許請求の範囲】
【請求項１】
コンピュータで販売管理される商品に付された商品・価格情報を含む既表示バーコード上に貼着して該既表示バーコードを隠蔽し、その上に値引き後のバーコードを表示するための値引きラベルであって、
表面が第１表示面と第２表示面からなり、裏面の全面が糊面として形成され、
上記第１表示面は、既表示バーコードを隠蔽すると同時に少なくとも値引き後のバーコードを印字できる幅と長さとを有し、
上記第２表示面は、値引き商品であることを表示する表示面であって、上記第１表示面の幅方向端に連接され、その第１表示面の幅と同幅で、上記第１表示面の裏面側に折り返したときに、第１表示面の裏面に短寸の既表示バーコードを隠すに必要なサイズの糊面を残して、該第１表示面に重畳貼着できる長さを有する、
ことを特徴とする商品貼付用値引きラベル。
【請求項２】
上記第１表示面と第２表示面とが、表面の色を変えることにより区画されている、
ことを特徴とする請求項１に記載の商品貼付用値引きラベル。
【請求項３】
上記第１表示面と第２表示面とが、部分切れ目線を介して連接されている、
ことを特徴とする請求項１または２に記載の商品貼付用値引きラベル。
【請求項４】
上記第２表示面が、第１表示面の裏側への貼着に際して、その長さを既表示バーコードが隠れる長さに短寸化するための折返しまたは切断用の部分切れ目線を有する、
こと特徴とする請求項３に記載の商品貼付用値引きラベル。
【請求項５】
上記第１表示面が、値引き後のバーコードを表示する主表示部と値引情報を文字表示する副表示部とを有する、
ことを特徴とする請求項１〜４のいずれかに記載の商品貼付用値引きラベル。
【請求項６】
上記主表示部と副表示部とが、表面の色を変えることにより区画されている、
こと特徴とする請求項５に記載の商品貼付用値引きラベル。
【発明の詳細な説明】
【技術分野】
【０００１】
販売時点情報管理システム（ポス・システム：POS system）により販売管理を行っている生鮮食料品等の小売店舗においては、何らかの段階で販売促進のために特定商品の値引きを行うことが多いが、本発明は、その値引きする商品に貼付する商品貼付用値引きラベルに関するものである。
【背景技術】
【０００２】
ポス・システムにおいては、商品に付されている商品・価格情報等を含むバーコードを自動読み取り装置に読み取らせ、コンピュータで販売管理、顧客管理、在庫管理、仕入れ管理などが行われるが、何らかの段階で販売促進等のために特定商品全部または一部の値引きを行うことが多く、その場合には、既表示バーコードを隠蔽するためにその上に値引き後のバーコード等を表示した値引きラベルを貼着している。この値引きラベルには、通常、上記値引き後のバーコードの他に、「お買得品」である旨の表示、店頭表示価格からの割引率等の表示が付され、例えば、赤地に大きい文字で「お買得」と表示するなど、値引き品であることを顧客にアピールするように配慮される。
【０００３】
しかしながら、この値引きラベルを商品に貼着する場合に、例えば、その商品自体が比較的小さくて、その商品に予め付されている既表示バーコードの近辺に、消費期限、賞味期限、食品添加物などの表示が存在し、該値引きラベルを貼付すると、上記消費期限等の表示や、商品自体の特長についての主要な説明表示が隠れてしまうケースがあり、この場合には、値引きラベルの貼着面積が既表示バーコードを隠蔽できる範囲で、できるだけ小さいことが望まれる。但し、上記既表示バーコードを確実に隠さなければ、バーコードを自動読み取り装置に読み取らせる際に、該読み取り装置が値引き前のバーコードをスキャンし、その値引き前の価格で集計してしまう集計ミス（値引き洩れ）が発生する可能性がある。
【０００４】
このように、商品に関する必要な表示を隠さないで既表示バーコードだけを隠すためには、ラベルサイズを小さくすることが要求されるが、逆に、値引き後のバーコードや、買得商品である旨の表示、値引率の表示等は、プリンターにて多数枚印字する必要があるため、そのラベルサイズがプリンターによる印字に適合するサイズであることが必要であって、ラベルサイズを小さくするには、プリンター等のラベル作成手段との関連において限界がある。また、値引き商品であることをアピールするためには、ラベルを目立つ存在にする必要があることから、ある程度大きいラベルサイズであることも必要である。
【０００５】
更に、値引きラベルの貼着面積を小さくする手段として、ラベル原紙を半糊にすることも考えられるが、一般的に、小型のプリンターにおいては、ラベル紙の走行性、印字適性などから、半糊タイプのラベルを利用することは困難であるという問題や、特殊なラベル原紙を準備する必要もある。
また、値引き対象の商品によっては、既表示バーコードが商品の裏面側にある場合があり、その場合には、値引きラベルによって既表示バーコードを隠蔽しても、商品は表面側が顧客に見えるように陳列されるため、顧客に値引き品であることをアピールすることができず、この場合に対する対策も考慮する必要がある。
【発明の開示】
【発明が解決しようとする課題】
【０００６】
本発明の技術的課題は、上述した従来の値引きラベルの問題点を一挙に解決した新しい商品貼付用値引きラベルを提供することにあり、特に、既表示バーコードの大きさ及びその周辺の表示が異なる各種商品に適用できる商品貼付用値引きラベルを提供することにある。
本発明の更に具体的な技術的課題は、値引き後のバーコードを含む値引き情報の表示に必要なラベルサイズを有し、ラベルの裏面の全面を糊面としているにも拘わらず、小さな商品の既表示バーコードの近辺の消費期限、賞味期限、食品添加物などの商品に必要な表示を隠すことなく、既表示バーコードを隠せるような範囲に貼付できるようにした商品貼付用値引きラベルを提供することにある。
本発明の他の技術的課題は、既表示バーコードが商品の裏面側にある場合においても、既表示バーコードを隠蔽すると共に、顧客に値引き品であることをアピールすることができるようにした商品貼付用値引きラベルを提供することにある。
【課題を解決するための手段】
【０００７】
上記課題を解決するため、本発明は、コンピュータで販売管理される商品に付された商品・価格情報を含む既表示バーコード上に貼着して該既表示バーコードを隠蔽し、その上に値引き後のバーコードを表示するための値引きラベルであって、表面が第１表示面と第２表示面からなり、裏面の全面が糊面として形成され、上記第１表示面は、既表示バーコードを隠蔽すると同時に少なくとも値引き後のバーコードを印字できる幅と長さとを有し、上記第２表示面は、値引き商品であることを表示する表示面であって、上記第１表示面の幅方向端に連接され、その第１表示面の幅と同幅で、上記第１表示面の裏面側に折り返したときに、第１表示面の裏面に、短寸の既表示バーコードを隠すに必要なサイズの糊面を残して該第１表示面に重畳貼着できる長さを有することを特徴とするものである。
【０００８】
本発明に係る商品貼付用値引きラベルの好ましい実施形態においては、上記第１表示面と第２表示面とが、表面の色を変えることにより区画され、また、上記第１表示面と第２表示面とが、部分切れ目線を介して連接される。
更に、上記第２表示面が、第１表示面の裏側への貼着に際して、その長さを既表示バーコードが隠れる長さに短寸化するための折返しまたは切断用の部分切れ目線を有するものとして構成され、また、上記第１表示面が、値引き後のバーコードを表示する主表示部と値引情報を文字表示する副表示部とを有するものとして構成され、これらの主表示部と副表示部も、表面の色を変えることにより区画することができる。
【０００９】
上記構成を有する商品貼付用値引きラベルは、第１表示面における主表示部に値引き後のバーコードを表示し、必要に応じて副表示部に値引情報を文字表示し、更に、第２表示面に「お買得」等の値引き品であることをアピールする文言を表示して、値引き商品の既表示バーコード上に貼付するものであるが、値引きする商品の既表示バーコードの近辺に商品に関する重要な表示がない場合には、そのまま既表示バーコード上に貼付すればよく、商品の包装に付された各種の必要な表示を隠すことなく、値引きラベルを貼着することができる。
【００１０】
また、小さな商品で既表示バーコードの近辺に消費期限、賞味期限、食品添加物などの商品に必要な表示がある場合には、第２表示面を第１表示面の裏側に折り返してそれらの裏面同士を貼着することにより、商品に対する第１表示面の裏面の糊面の面積を小さくして、上記商品に必要な表示を隠すことなく、値引き後のバーコードを含む値引き情報を表示した第１表示面を、既表示バーコード上に貼着することができる。つまり、ラベルの裏面の全面を糊面とすることなく、部分的糊面とした場合と同じ効果を得ることができる。
【００１１】
上記第２表示面を第１表示面の裏側に折り返してそれらの裏面同士を貼着する場合に、第１表示面の裏面に既表示バーコードを隠すに必要なサイズの糊面が残らないときには、第２表示面に設けた、その長さを短寸化するための折返しまたは切断用の部分切れ目線において裏側に折返し、または切断したうえで、第２表示面を第１表示面の裏側に折り返して貼着することにより、既表示バーコードを隠すための糊面を拡大することができる。
なお、上記第１表示面と第２表示面とを、部分切れ目線を介して連接しておけば、第２表示面の適当な長さの部分を第１表示面から切り離し、その切り離し部分を第１表示面の裏側に折り返して貼着することにより、第１表示面の裏面に任意サイズの糊面を残すことができる。
【００１２】
更に、既表示バーコードが商品の裏面側にある場合には、第１表示面と第２表示面とをそれらの間の部分切れ目線において切り離し、第１表示面を既表示バーコード上に貼着してそれを隠蔽すると共に、第２表示面を商品の表面の適宜位置に貼着することにより、顧客に値引き品であることをアピールすることができる。
【発明の効果】
【００１３】
以上に詳述した本発明の商品貼付用値引きラベルは、値引き後のバーコードを含む値引き情報の表示に必要なラベルサイズを有し、ラベルの裏面の全面を糊面としているにも拘わらず、小さな商品等の既表示バーコードの近辺の消費期限、賞味期限、食品添加物などの商品に必要な表示を隠すことなく、既表示バーコードを隠せるような範囲に貼付することができ、勿論、既表示バーコードの近辺に重要な表示がない場合にはそのまま既表示バーコード上に貼付することができ、また、既表示バーコードが商品の裏面側にある場合においても、既表示バーコードを隠蔽すると共に、顧客に値引き品であることをアピールすることができ、従って、既表示バーコード大きさ及びその周辺の表示が異なる各種商品に適用できる値引きラベルを提供することができる。
【発明を実施するための最良の形態】
【００１４】
図１〜図３は、本発明に係る商品貼付用値引きラベルの実施の一例を示している。この商品貼付用値引きラベル１は、コンピュータで販売管理される商品１０に付された商品・価格情報を含む既表示バーコード１１上に、その商品の値引き販売のために貼着して、該既表示バーコード１１を隠蔽し、その上に値引き後のバーコード等を表示するためのものであり、概略的には、ラベル紙の表面が第１表示面２と第２表示面３からなり、裏面の全面が糊面４として形成されている。
【００１５】
上記第１表示面２は、既表示バーコード１１を隠蔽すると同時に、少なくとも値引き後のバーコード５を印字できる幅と長さとを有し、望ましくは、値引き後のバーコード５を表示する主表示部２ａと、「店内表示価格より２０％引き」等の値引情報を文字表示する副表示部２ｂとを有するものとして構成される。主表示部２ａと副表示部２ｂとは、表面の地色を変えることにより区画するのが望ましいが、単なる線によって区画することもできる。
一方、上記第２表示面３は、「お買得」等の値引き商品であることを表示する表示面であって、上記第１表示面２の幅方向端に連接され、その第１表示面２の幅と同幅で、上記第１表示面２の裏面側に折り返したときに、第１表示面２の裏面に、短寸の既表示バーコード１１を隠すに必要なサイズの糊面４ａを残して該第１表示面２に重畳貼着できる長さを有している。
【００１６】
上記第１表示面２と第２表示面３とは、表面の色を変えることにより区画するのが望ましく、特に、第２表示面３は値引き商品であることを表示するため、目立つ地色にしておくのが望ましい。
また、上記第１表示面２と第２表示面３とは、ミシン目あるいは厚さの半分に切り込みが入った部分切れ目線６を介して連接されていることが望ましいが、必ずしも当該部分切れ目線６が入っている必要はなく、その位置が折り目を示す線によって表示されていても差し支えない。
更に、上記第２表示面３は、第１表示面２の裏側へ折り返して貼着するに際し、その長さを既表示バーコード１１が隠れる長さに短寸化するための折返しまたは切断用の部分切れ目線７を有するものとしている。
【００１７】
上記構成を有する商品貼付用値引きラベル１は、図１の（ａ）に示すように、第１表示面２における主表示部２ａに値引き後のバーコード５を表示し、副表示部２ｂに値引情報を文字表示し、更に、第２表示面３に「お買得」等の文言を表示して、値引き商品の既表示バーコード１１上に貼付するものであるが、図３に示すように、値引きする商品１０の既表示バーコード１１の近辺に商品に関する重要な表示がない場合には、そのまま既表示バーコード１１上に貼付すればよく、それにより、商品の包装に付された各種の必要な表示を隠すことなく、値引きラベル１を貼着することができる。
【００１８】
また、小さな商品等で既表示バーコード１１の近辺に消費期限、賞味期限、食品添加物などの商品に必要な表示がある場合には、図１の（ａ）〜（ｄ）に示すように、第２表示面３を第１表示面２の裏側に折り返してそれらの裏面同士を貼着することにより、商品１０に対する第１表示面２の裏面の糊面４ａの面積を小さくして、上記商品１０に必要な表示を隠すことなく、値引き後のバーコード５を含む値引き情報を表示した第１表示面２を、既表示バーコード１１上に貼着することができる。つまり、ラベル原紙の裏面の全面を糊面とすることなく、部分的糊面とした場合と同じ効果を得ることができる。
【００１９】
上記第２表示面３を第１表示面２の裏側に折り返してそれらの裏面同士を貼着する場合に、第１表示面２の裏面に既表示バーコード１１を隠すに必要なサイズの糊面４ａが残らないときには、第２表示面３に設けた、その長さを短寸化するための折返しまたは切断用の部分切れ目線７において裏側に折返し、または該線７に沿って切断したうえで、第２表示面３を第１表示面２の裏側に折り返して貼着することにより、既表示バーコード１１を隠すための糊面４ａを拡大することができるが、上記第１表示面２と第２表示面３とを、部分切れ目線６を介して連接しておけば、第２表示面３の適当な長さの部分を第１表示面２から切り離し、その切り離し部分を第１表示面２の裏側に折り返して貼着することにより、第１表示面２の裏面に任意サイズの糊面４ａを残すことができる。
【００２０】
更に、既表示バーコード１１が商品の裏面側にある場合には、第１表示面２と第２表示面３とをそれらの間の部分切れ目線６において切り離し、第１表示面２を既表示バーコード１１上に貼着してそれを隠蔽すると共に、第２表示面３を商品１０の表面の適宜位置に貼着することにより、顧客に値引き品であることをアピールすることができる。
【図面の簡単な説明】
【００２１】
【図１】本発明に係る商品貼付用値引きラベルの実施例を示すもので、（ａ）はその平面図、（ｂ）は第２表示面を第１表示面の裏側に折り返す態様を示す斜視図、（ｃ）は折り返した第２表示面を第１表示面の裏側に貼着する態様を示す斜視図、（ｄ）は商品に貼着するときの状態を示す斜視図である。
【図２】本発明に係る商品貼付用値引きラベルを上記図１の（ｄ）の状態で商品に貼着した状態を示す平面図である。
【図３】上記商品貼付用値引きラベルを図１の（ａ）の状態のまま商品に貼着した状態を示す平面図である。
【符号の説明】
【００２２】
１      値引きラベル
２      第１表示面
２ａ    主表示部
２ｂ    副表示部
３      第２表示面
４，４ａ    糊面
５      バーコード
６      部分切れ目線
７      部分切れ目線
１０      商品
１１      既表示バーコード
【図１】
2010008508.tif 000003
【図２】
2010008508.tif 000004
【図３】
2010008508.tif 000005